(57)【要約】【課題】  包装付き成形米飯食品の包装がずれても易開封手段に影響を与えない包装体を実現する。【解決手段】シート体１の長手方向の全長に渡って積層したカットテープＴ１、Ｔ２による短手方向への分断手段を備えると共に、分断時にカットテープの始端となる側のシート体の端部に易開封のための摘み部６を設け、成形米飯食品を包んだ状態でシート体の長手方向両端同士を向かい合わせて接合する包装体において、カットテープを透明素材により構成すると共に、包装時に成形米飯食品の正面及び背面に振り分けられるシート体の面のうち、カットテープの始端が位置する側の面に、そこに積層されるカットテープの部分の全部又は一部に沿ってカットテープ様の着色印刷Ｒ１、Ｒ２を施す。【選択図】      図１
2005154003.tif 000002
【特許請求の範囲】
【請求項１】
シート体の長手方向の全長に渡って積層したカットテープによる短手方向への分断手段を備えると共に、分断時にカットテープの始端となる側のシート体の端部に易開封のための摘み部を設け、成形米飯食品を包んだ状態でシート体の長手方向両端同士を向かい合わせて接合する包装体において、カットテープを透明素材により構成すると共に、包装時に成形米飯食品の正面及び背面に振り分けられるシート体の面のうち、カットテープの始端が位置する側の面に、そこに積層されるカットテープの部分の全長に沿ってカットテープ様の着色印刷を施したことを特徴とする成形米飯食品用包装体。
【請求項２】
カットテープ様の着色印刷は、カットテープの終端が位置する側の面にもカットテープの終端付近を避けて施される請求項１記載の成形米飯食品用包装体。
【請求項３】
シート体の長手方向の全長に渡って積層したカットテープによる短手方向への分断手段を備えると共に、分断時にカットテープの始端となる側のシート体の端部に易開封のための摘み部を設け、成形米飯食品を包んだ状態でシート体の長手方向両端同士を向かい合わせて接合する包装体において、カットテープを透明素材により構成すると共に、包装時に成形米飯食品の正面及び背面に振り分けられるシート体の面のうち、カットテープの始端が位置する側の面に、そこに積層されるカットテープの始端付近を含んだカットテープの部分の一部に沿ってカットテープ様の着色印刷を施したことを特徴とする成形米飯食品用包装体。
【請求項４】
シート体の長手方向の全長に渡って積層したカットテープによる短手方向への分断手段を備えると共に、分断時にカットテープの始端となる側のシート体の端部に易開封のための摘み部を設け、成形米飯食品を包んだ状態でシート体の長手方向両端同士を向かい合わせて接合する包装体において、カットテープを透明素材により構成すると共に、包装時に成形米飯食品の正面及び背面に振り分けられるシート体の面のうち、カットテープの終端が位置する側の面に、そこに積層されるカットテープの部分の全長に沿ってカットテープ様の着色印刷を施したことを特徴とする成形米飯食品用包装体。
【請求項５】
カットテープ様の着色印刷は、カットテープの始端が位置する側の面にもカットテープの始端付近を避けて施される請求項４記載の成形米飯食品用包装体。
【請求項６】
シート体の長手方向の全長に渡って積層したカットテープによる短手方向への分断手段を備えると共に、分断時にカットテープの始端となる側のシート体の端部に易開封のための摘み部を設け、成形米飯食品を包んだ状態でシート体の長手方向両端同士を向かい合わせて接合する包装体において、カットテープを透明素材により構成すると共に、包装時に成形米飯食品の正面及び背面に振り分けられるシート体の面のうち、カットテープの終端が位置する側の面に、そこに積層されるカットテープの終端付近を含んだカットテープの部分の一部に沿ってカットテープ様の着色印刷を施したことを特徴とする成形米飯食品用包装体。
【請求項７】
着色印刷はカットテープに直接施される請求項１から６の何れかに記載の成形米飯食品用包装体。
【請求項８】
シート体はカットテープを積層した長方形の表側フィルムに、短手方向に２分割した一対のフィルム片からなる裏側フィルムを重ね合わせ、内部にシート状食品を収容するための袋部を構成するように表側フィルムと裏側フィルムの一部を接合した構成よりなる請求項１から７の何れかに記載の成形米飯食品用包装体。
【請求項９】
シート体を構成する表側フィルムの一端にしてカットテープの始端となる箇所に一対の切り込みを設けることにより、この切り込みに挟まれた箇所を易開封のための摘み部とした請求項１から８の何れかに記載の成形米飯食品用包装体。
【発明の詳細な説明】
【技術分野】
【０００１】
この発明はおにぎりや寿司などの成形米飯食品を包装するための包装体に関し、より詳細にはカットテープの積層による分断手段を備えた包装体に関する。
【背景技術】
【０００２】
易開封の手段として、シート体の長手方向の全長に渡って積層したカットテープの積層による短手方向への分断手段を備えると共に、分断時にカットテープの始端となる側のシート体の端部に易開封のための摘み部を設け、成形米飯食品をシート体により包んだ状態でシート体の長手方向両端同士を向かい合わせて接合するための包装体が公知である。特許文献１は、このうち、カットテープを積層した長方形の表側フィルムに、短手方向に２分割した一対のフィルム片からなる裏側フィルムを重ね合わせ、内部にシート状食品を収容するための袋部を構成するように表側フィルムと裏側フィルムの一部を接合した構成よりなる包装体の公知例である。
【０００３】
この種の包装体においては、シート体を構成する表側フィルムの一端にしてカットテープの始端となる箇所に摘み部を設けることが広く行われている。前記公知例においてはシート端に一対の切り込みを設けることにより、この切り込みに挟まれた箇所を易開封のための摘み部とすることが開示されている。又、カットテープは着色されているのが通常であり、これにより易開封にあたり使用者が視認により始端を探索しやすく、又、引き裂き方向を知らせる心理的効果も得られる。
【特許文献１】実願平３−３５０６３（実開平６−８２６４）のＣＤ−ＲＯＭ
【発明の開示】
【発明が解決しようとする課題】
【０００４】
ところで、図１６に示すように、カットテープ５５及び摘み片５６を備えたシート体５０により製袋される包装体と、これに包装されるおにぎりＲからなり、おにぎりの正面・背面中の一面を当接した状態でシート体をおにぎりの底面、次いで他面に当接するようにコ字状に折り曲げることにより、シート体によりおにぎりを包みながら包装体の正面部５１、底襠部５２、背面部５３を形成し、更におにぎりの左右にはみ出したシート体の正面部、底襠部、背面部をおにぎり側に折り込んで互いに固定することにより包装体の左右の側襠部５４、５４を形成して上方を開口した直方体の包装体を製袋し、最後に包装体の側襠部を折り目５４Ａにより内方に折り込みながら正面部と背面部を開口において重合して閉止した包装付き成形米飯食品が存する。
【０００５】
前記の包装付き成形米飯食品においては、工程上の理由から図１７に示すように往々にして包装体の正面部５１と背面部５３が左右にずれて中心が合致しなくなり、本来合致すべきカットテープ５５の正面部側の始端５５Ａと背面部側の終端５５Ｂがずれることがあった。この場合、シート体５０は内部のおにぎりＲを視認できるように透明素材により構成されているので、正面から見た場合、易開封のための摘み片５６側のカットテープ５５の始端５５Ａに対し、それと位置がずれている背面部側の終端５５Ｂが透けて見え、視認により摘み片を探索しようとする使用者に混乱を与える問題を生じた。
【課題を解決するための手段】
【０００６】
この発明は前記の問題を解消するために創作されたものであり、ここでは次の４つの発明を開示する。
【０００７】
第１発明の包装体は、シート体の長手方向の全長に渡って積層したカットテープによる短手方向への分断手段を備えると共に、分断時にカットテープの始端となる側のシート体の端部に易開封のための摘み部を設け、成形米飯食品を包んだ状態でシート体の長手方向両端同士を向かい合わせて接合する包装体において、カットテープを透明素材により構成すると共に、包装時に成形米飯食品の正面及び背面に振り分けられるシート体の面のうち、カットテープの始端が位置する側の面に、そこに積層されるカットテープの部分の全部又は一部に沿ってカットテープ様の着色印刷を施したことを特徴とする。
【０００８】
第２発明の包装体は、シート体の長手方向の全長に渡って積層したカットテープによる短手方向への分断手段を備えると共に、分断時にカットテープの始端となる側のシート体の端部に易開封のための摘み部を設け、成形米飯食品を包んだ状態でシート体の長手方向両端同士を向かい合わせて接合する包装体において、カットテープを透明素材により構成すると共に、包装時に成形米飯食品の正面及び背面に振り分けられるシート体の面のうち、カットテープの終端が位置する側の面に、そこに積層されるカットテープの部分の全部又は一部に沿ってカットテープ様の着色印刷を施したことを特徴とする。
【０００９】
第３発明の包装体は、シート体の長手方向の全長に渡って積層したカットテープによる短手方向への分断手段を備えると共に、分断時にカットテープの始端となる側のシート体の端部に易開封のための摘み部を設け、成形米飯食品を包んだ状態でシート体の長手方向両端同士を向かい合わせて接合する包装体において、カットテープを透明素材により構成すると共に、包装時に成形米飯食品の正面及び背面に振り分けられたシート体の面のうち、カットテープの始端が位置する側の面に積層されるカットテープの部分の全部又は一部に着色印刷を施したことを特徴とする。
【００１０】
第４発明の包装体は、シート体の長手方向の全長に渡って積層したカットテープによる短手方向への分断手段を備えると共に、分断時にカットテープの始端となる側のシート体の端部に易開封のための摘み部を設け、成形米飯食品を包んだ状態でシート体の長手方向両端同士を向かい合わせて接合する包装体において、カットテープを透明素材により構成すると共に、包装時に成形米飯食品の正面及び背面に振り分けられたシート体の面のうち、カットテープの終端が位置する側の面に積層されるカットテープの部分の全部又は一部に着色印刷を施したことを特徴とする。
【発明の効果】
【００１１】
前記の各発明によれば、これらの包装体を使用して成形米飯食品を包装した場合、易開封のための摘み片側のカットテープの始端又は終端が存する正面側又は背面側のカットテープのみが着色により視認でき、背面側又は正面側のカットテープは透明のままなので目には入らず、仮にこれらの始端と終端がずれている場合でも使用者に混乱を与えることが避けられる効果を生じる。
【００１２】
又、第１発明及び第２発明の場合は、カットテープは透明のままで、シート体側に印刷によりカットテープ様の着色を施すので、製造が容易になる効果を生じる。
【発明を実施するための最良の形態】
【００１３】
以下、この発明の具体的実施例を添付図面に基づいて説明する。図２乃至図５はこの発明の包装体による成形米飯食品の包装形態の一例を示す図であり、ここでは成形米飯食品として三角形状のおにぎりＲを例示している。図中符号１はシート体であり、ここにおにぎりＲを当接した状態で折り目２Ｂ、２Ｂを境として包装体の正面部Ａ、底襠部Ｂ、背面部Ｃを構成する領域がおにぎりの正面に密接するようにコ字状に折り曲げられ、その後、折り目２Ａ、２Ａを境として包装体の側襠部Ｄ、Ｄを構成する領域３、３がおにぎり側に折り曲げられる。又、その際に包装体の側襠部Ｄ、Ｄを構成する領域３、３と折り目２Ａに挟まれる領域４が折り目２Ｂ、２Ｂ及び２Ｃ、２Ｃを境として折り畳まれて、領域３、３の裏面に重合される。
【００１４】
以上の過程により上方を開口した直方体からなる包装体が得られ、側襠部Ｄ、Ｄを構成する領域３、３と、折り畳まれてその裏面に重合される領域４が溶着箇所Ｓ２において同時に溶着されると共に、領域３、３同士も溶着される（図４参照）。
【００１５】
次に、側襠部Ｄ、Ｄを折り目５Ａが包装体内方に突出するように内方に折り込みながら正面部Ａと背面部Ｃを開口において重合し（図５参照）、更に閉止することにより（図示せず）一連の包装は完了する。
【００１６】
図１はこの発明の包装体の第１発明におけるシート体１の構成を示す図である。このシート体１は透明素材よりなる表側フィルム１０と裏側フィルム１３、１４を、内部に海苔などのシート状食品を収容するための袋部を構成するように重合した構成からなる。表側フィルム１０は長方形からなり、裏面にシート体の長手方向の全長に渡って短手方向に２分割するための分断手段となるカットテープＴ１、Ｔ２が積層される。上記カットテープＴ１、Ｔ２の始端側には、カットテープの引き上げ開始時における引き裂きを容易にするために、表側フィルムの一端に一対の切り込み６Ａ、６Ａを設けることにより、この切り込みに挟まれた箇所を易開封のための摘み部６としている。
【００１７】
裏側フィルムは包装時におにぎりＲに接する側のフィルムであり、表側フィルム１０を覆う形状に短手方向に２分割した一対のフィルム片１３及び１４により構成され、これらのフィルム片は表側フィルムの分断手段に位置する箇所において一部分が重なる重なり部を構成する。表側フィルム１０と裏側フィルム１３、１４は、裏側フィルムのフィルム片同士の重なり部を除いた箇所に溶着部Ｓ１を設けて重合されることにより内部にシート状食品Ｎを収容するための袋部を構成する。
【００１８】
前記の表側フィルム１０に積層されるカットテープＴ１、Ｔ２は透明素材により構成されることにより、そのままでは透明のフィルムと紛れて視認し難くする。一方、包装時におにぎりＲの正面及び背面に振り分けられるシート体１の面のうち、カットテープＴ１、Ｔ２の始端が位置する側である正面部Ａに、そこに積層されるカットテープの部分に沿ってカットテープ様の着色印刷Ｒ１、Ｒ２が表側フィルム１０に施される。
【００１９】
この実施例では上記着色印刷Ｒ１、Ｒ２は例えば赤色のものを正面部Ａに位置するカットテープＴ１、Ｔ２の全長に渡って施しているが、図７及び図８に示すようにカットテープの始端付近を含む一部にのみ施してもよく、逆に図９に示すようにカットテープの始端が位置する側である正面部Ａのカットテープの全長のみならず、終端が位置する側である背面部Ｃのカットテープの全長の一部にその終端付近を避けて施してもよいことは勿論である。
【００２０】
図１０はこの発明の包装体の第２発明におけるシート体１の構成を示す図である。この発明においてはシート体１の基本構成は前記の第１発明のものと同一であるが、着色印刷Ｒ１、Ｒ２を施すのが、カットテープＴ１、Ｔ２の始端が位置する側である正面部Ａでなく、終端が位置する側である背面部Ｃである点が異なる。即ち、この発明においてはカットテープの始端付近を含んだカットテープＴ１、Ｔ２に沿ってカットテープ様の着色印刷Ｒ１、Ｒ２が施される。
【００２１】
この実施例では上記着色印刷Ｒ１、Ｒ２はカットテープの終端付近を含んだカットテープＴ１、Ｔ２の一部に沿って施しているが、カットテープの終端が位置する側である背面部Ｃのカットテープの全長に沿って施してもよく（図示せず）、更に背面部Ｃのカットテープの全長のみならず、始端が位置する側である正面部Ａのカットテープの全長の一部にその始端付近を避けて施してもよいことは勿論である（図示せず）。
【００２２】
尚、以上の実施例においてはカットテープに沿って施される着色印刷Ｒ１、Ｒ２はカットテープに被さるように施されるが、図１４の実施例に示すようにカットテープＴ１、Ｔ２に隣接させて施してもよい。より広い引き裂き面積を得るためにはカットテープＴ１、Ｔ２間の間隔を広くすることが有効であるが、デザイン上の要請からカットテープ同士の間隔を広くできない場合がある。この発明においてはカットテープ自体は透明なので、この実施例のようにカットテープ様の着色印刷の間隔を狭くすることにより、従来通りの外観で易開封性を向上させることが可能となる。
【００２３】
又、図１５はカットテープＴを１本として幅広とした場合の実施例を示すが、この場合にもカットテープ様の着色印刷Ｒ１、Ｒ２を一対のものとすることにより、従来通りの外観を保つことが可能となる。
【００２４】
図６はこの発明の包装体の第３発明におけるシート体１の構成を示す図である。上記シート体１の基本構成は前記の第１発明のものと同一で符号も共通する。第３発明においてもカットテープＴ１、Ｔ２は透明素材により構成されるが、包装時におにぎりＲの正面及び背面に振り分けられるシート体１の面のうち、カットテープＴ１、Ｔ２の始端が位置する側の正面部Ａに積層される部分に着色印刷Ｐ１、Ｐ２が施される。
【００２５】
この実施例では上記着色印刷Ｐ１、Ｐ２は例えば赤色のものを正面部Ａに位置するカットテープＴ１、Ｔ２のほぼ全長に渡って施しているが、図１１に示すように前記第１発明と同様にカットテープの始端付近を含む一部にのみ施してもよく、逆に図１２に示すようにカットテープの始端が位置する側である正面部Ａのカットテープの全長のみならず、終端が位置する側である背面部Ｃのカットテープの全長の一部にその終端付近を避けて施してもよいことは勿論である。
【００２６】
図１２はこの発明の包装体の第４発明におけるシート体１の構成を示す図である。この発明においてはシート体１の基本構成は前記の第３発明のものと同一であるが、着色印刷Ｐ１、Ｐ２を施すのが、カットテープＴ１、Ｔ２の始端が位置する側である正面部Ａでなく、終端が位置する側である背面部Ｃである点が異なる。即ち、この発明においてはカットテープの始端付近を含んだカットテープＴ１、Ｔ２の部分の一部に着色印刷Ｐ１、Ｐ２が施される。
【００２７】
この実施例では上記着色印刷Ｐ１、Ｐ２はカットテープの終端付近を含んだカットテープＴ１、Ｔ２の一部に施しているが、カットテープの終端が位置する側である背面部Ｃのカットテープの全長に渡って施してもよく（図示せず）、更に背面部Ｃのカットテープの全長のみならず、始端が位置する側である正面部Ａのカットテープの全長の一部にその始端付近を避けて施してもよいことは勿論である（図示せず）。
【００２８】
尚、この発明の要旨はシート体にあり、前記の包装形態は上記シート体の利用方法の例示であり、権利範囲はこの包装形態に限定されないことは勿論である。
【図面の簡単な説明】
【００２９】
【図１】第１発明の包装体の分解斜視図。
【図２】同上、使用に際しての包装工程を示す斜視図。
【図３】同上、使用に際しての包装工程を示す斜視図。
【図４】同上、使用に際しての包装工程を示す斜視図。
【図５】同上、使用に際しての包装工程を示す斜視図。
【図６】第３発明の包装体の分解斜視図。
【図７】第１発明の包装体の異なる実施例の平面図。
【図８】同上、使用に際しての包装工程を示す斜視図。
【図９】第１発明の包装体の異なる実施例の平面図。
【図１０】第２発明の包装体の平面図。
【図１１】第２発明の包装体の異なる実施例の平面図。
【図１２】第２発明の包装体の異なる実施例の平面図。
【図１３】第４発明の包装体の平面図。
【図１４】第１発明の包装体の異なる実施例の平面図。
【図１５】第１発明の包装体の異なる実施例の平面図。
【図１６】従来技術の包装体の使用例の斜視図。
【図１７】同上、不良発生時の正面図。
【符号の説明】
【００３０】
Ｒ            成形米飯食品
Ｎ            シート状食品
Ｔ１、Ｔ２    カットテープ
Ｒ１、Ｒ２    着色印刷（第１発明、第２発明）
Ｐ１、Ｐ２    着色印刷（第３発明、第４発明）
１            シート体
６            摘み部
１０          表側フィルム
１３、１４    裏側フィルム
【図１】
2005154003.tif 000003
【図２】
2005154003.tif 000004
【図３】
2005154003.tif 000005
【図４】
2005154003.tif 000006
【図５】
2005154003.tif 000007
【図６】
2005154003.tif 000008
【図７】
2005154003.tif 000009
【図８】
2005154003.tif 000010
【図９】
2005154003.tif 000011
【図１０】
2005154003.tif 000012
【図１１】
2005154003.tif 000013
【図１２】
2005154003.tif 000014
【図１３】
2005154003.tif 000015
【図１４】
2005154003.tif 000016
【図１５】
2005154003.tif 000017
【図１６】
2005154003.tif 000018
【図１７】
2005154003.tif 000019